(57)【要約】【課題】アンモニア性窒素及び水溶性の鉄イオン、マンガンイオンを含む水の水処理システムであって、アンモニア性窒素が多量に含まれる水を処理する場合であっても、モノクロラミンが浄水中に残存する問題を生ぜず、又、有害物質発生の原因となる次亜塩素酸又は次亜塩素酸塩の必要量を低減でき、さらに光源ランプの性能低下の問題もない水処理システム及び水処理方法を提供する。【解決手段】アンモニア性窒素並びに鉄イオン及び／又はマンガンイオンを含む水の処理システムであって、鉄イオン及び／又はマンガンイオンを酸化するための過マンガン酸塩の添加手段、酸化された鉄イオン及び／又はマンガンイオンを含む水をろ過するろ過器、及び前記ろ過器よりのろ液中に含まれるアンモニア性窒素を光酸化する光酸化手段を有することを特徴とする水処理システム、及び該水処理システムにより行われる水処理方法。【選択図】  図１
2008043898.tif 000002
【特許請求の範囲】
【請求項１】
アンモニア性窒素並びに鉄イオン及び／又はマンガンイオンを含む水の処理システムであって、該水中に含まれる鉄イオン及び／又はマンガンイオンを酸化するための過マンガン酸塩の添加手段、酸化された鉄イオン及び／又はマンガンイオンを含む水をろ過するろ過器、及び前記ろ過器よりのろ液中に含まれるアンモニア性窒素を光酸化する光酸化手段を有することを特徴とする水処理システム。
【請求項２】
前記ろ過が急速ろ過であり、前記ろ過器が急速ろ過器であることを特徴とする請求項１に記載の水処理システム。
【請求項３】
さらに、次亜塩素酸又は次亜塩素酸塩の添加手段を、過マンガン酸塩の添加手段及び光酸化手段の間に有し、光酸化手段が、次亜塩素酸又は次亜塩素酸塩の存在下、水中よりの紫外線照射によりアンモニア性窒素を光酸化する手段であることを特徴とする請求項１又は請求項２に記載の水処理システム。
【請求項４】
さらに、活性炭ろ過器を有することを特徴とする請求項１ないし請求項３のいずれかに記載の水処理システム。
【請求項５】
アンモニア性窒素並びに鉄イオン及び／又はマンガンイオンを含む水の処理方法であって、前記水に過マンガン酸塩を添加して鉄イオン及び／又はマンガンイオンを酸化する鉄マンガン酸化工程、前記鉄マンガン酸化工程後の水をろ過する工程、及び前記ろ過のろ過水に含まれるアンモニア性窒素を光酸化する工程を有することを特徴とする水処理方法。
【請求項６】
さらに、活性炭ろ過工程を有することを特徴とする請求項５に記載の水処理方法。
【発明の詳細な説明】
【技術分野】
【０００１】
本発明は、アンモニア性窒素並びに鉄イオン及び／又はマンガンイオンを含む水の浄水処理、特に井戸水の浄水処理に用いられる水処理システム、及び水処理方法に関する。
【背景技術】
【０００２】
従来、井戸水の浄水処理には、先ず、井戸水中に含まれている鉄、マンガンや濁度成分等を急速ろ過により除去し、その後に、活性炭ろ過器により臭気や有機化合物を活性炭に吸着して除去する、膜ろ過により大腸菌や一般細菌等を除去する等の工程を有するシステムが採用されていた。
【０００３】
さらに、井戸水がアンモニア性窒素を含み、又、該井戸水に含まれる鉄、マンガンが２価イオン等の水溶性イオンであり急速ろ過により除去されない場合には、急速ろ過の前に次亜塩素酸又は次亜塩素酸塩（例えば次亜塩素酸ソーダ）を処理対象の井戸水（被処理水）に添加し、アンモニア性窒素をモノクラミン等の塩素化合物（結合塩素）に変えるいわゆる不連続点処理を行うとともに、水溶性の鉄イオン、マンガンイオンを酸化して水不溶性にし、急速ろ過による除去を可能にする処理が行われていた。
【０００４】
近年、アンモニア性窒素を多量に含有する井戸水、例えば１０ｐｐｍ以上のアンモニア性窒素を含有する井戸水が増加している。このようなアンモニア性窒素を多量に含む井戸水に次亜塩素酸又は次亜塩素酸塩を添加して前記の不連続点処理を行うと、モノクラミンが多量に浄水中に残存し臭気を発生する問題が生じる。そこで、被処理水に光を照射してアンモニア性窒素を光酸化により分解する工程をさらに含む浄水処理システムが提案され、実用化されている。
【０００５】
この光酸化は、アンモニア性窒素を含む水に紫外線等の高エネルギー線を照射してヒドロキシラジカルを発生させ、このヒドロキシラジカルの作用によりアンモニア性窒素を分解する方法である。反応をより効率的に行うために、好ましくは、光酸化を次亜塩素酸又は次亜塩素酸塩等の酸化剤の存在下に行うが、次亜塩素酸又は次亜塩素酸塩を使用する場合でも、不連続点処理の場合と比べて、その使用量を大きく減少することができる。又、光酸化によればアンモニア性窒素を迅速に分解し窒素ガス等の無害なものにするので、臭気を発生するモノクラミンが浄水中に残存する問題は生じない。
【発明の開示】
【発明が解決しようとする課題】
【０００６】
前記のように、従来の井戸水の浄水処理システムでは、鉄、マンガンの２価イオン等の水溶性イオンを酸化し水不溶性として急速ろ過により除去するためにも、次亜塩素酸又は次亜塩素酸塩が用いられていた。光酸化を含む浄水処理システムにおいて、光酸化によりアンモニア性窒素が除去される前に次亜塩素酸又は次亜塩素酸塩を添加すると、これらは鉄、マンガンの２価イオンと反応する前に先ずアンモニア性窒素と反応する。従って、これらは先ずアンモニア性窒素の処理に消費され、その量が少ない場合、鉄、マンガンの２価イオン等の酸化を行うことができない。そこで光酸化は急速ろ過の前に行われていた。
【０００７】
しかし、光酸化は、光源ランプ、例えば紫外線ランプを被処理水中に設けて光照射することにより行われるので、光酸化を急速ろ過の前に行うと、鉄、マンガンや濁度成分が除去されていない水と光源ランプが接し、光源ランプへ鉄、マンガンや濁度成分が付着し、ランプの性能が経時的に低下する問題が生じる。
【０００８】
本発明は、アンモニア性窒素及び水溶性の鉄イオン、マンガンイオンを含む水の水処理システムであって、アンモニア性窒素が多量に含まれる水を処理する場合であっても、モノクロラミンが浄水中に残存する問題を生ぜず、又、トリハロメタンのような有害物質発生の原因となる次亜塩素酸又は次亜塩素酸塩の必要量を低減でき、さらに前記のような光源ランプの性能低下の問題もない水処理システム及び水処理方法を提供することを課題とする。
【課題を解決するための手段】
【０００９】
本発明者は、上記課題につき鋭意検討の結果、先ず、被処理水中の鉄イオン、マンガンイオンを過マンガン酸塩により酸化し、その後に、急速ろ過等のろ過及び光酸化を行うシステムによれば、少量の次亜塩素酸又は次亜塩素酸塩により多量のアンモニア性窒素を含む水を処理することができ、モノクロラミンの残存の問題もなくかつ光源ランプの性能の低下の問題もないことを見出し、本発明を完成した。
【００１０】
本発明は、アンモニア性窒素並びに鉄イオン及び／又はマンガンイオンを含む水の処理システムであって、該水中に含まれる鉄イオン及び／又はマンガンイオンを酸化するための過マンガン酸塩の添加手段、酸化された鉄イオン及び／又はマンガンイオンを含む水をろ過するろ過器、及び前記ろ過器よりのろ液中に含まれるアンモニア性窒素を光酸化する光酸化手段を有することを特徴とする水処理システムを提供する（請求項１）。
【００１１】
本発明の水処理システムの処理対象（被処理水）は、アンモニア性窒素並びに鉄イオン及び／又はマンガンイオンを含む水である。具体的には、井戸水の浄水処理が代表的な適用例として挙げられる。特に、アンモニア性窒素の含有量が１０ｐｐｍを越えるような被処理水の場合、本発明の効果が特に発揮される。
【００１２】
被処理水中に含まれる鉄イオン、マンガンイオンとは、水溶性のイオンである。特に鉄の２価イオン、マンガンの２価イオンが挙げられる。
【００１３】
本発明の水処理システムにおいて、井戸水等の被処理水には、先ず過マンガン酸塩が添加され、水溶性の鉄イオン及び／又はマンガンイオンは酸化され、水不溶性の塩に変えられる（前処理）。この水不溶性の塩は、原水中の濁度成分とともにろ過により除去される。従って、本発明の水処理システムは、過マンガン酸塩の添加手段を有し、鉄イオン及び／又はマンガンイオンの酸化を過マンガン酸塩により行うことを特徴とする。
【００１４】
過マンガン酸塩としては、過マンガン酸カリウム、過マンガン酸ナトリウムが例示される。被処理水への過マンガン酸塩の添加は、例えば、被処理水をろ過器へ送る配管途中に過マンガン酸塩を添加する手段を設ける方法により行われる。この場合、過マンガン酸塩の添加位置とろ過器間の配管中やろ過器内のろ過前の水が貯められる部分で、過マンガン酸塩と被処理水が混合され、鉄イオン及び／又はマンガンイオンは酸化される。添加する手段は、被処理水中に過マンガン酸塩を添加できるものであれば特に限定されず、通常は、被処理水を送る配管と過マンガン酸塩（水溶液）を送る配管を単に結合させたものであるが、被処理水と過マンガン酸塩を混合し、鉄イオン及び／又はマンガンイオンを酸化する反応を行わせるための手段等を別途設けてもよい。
【００１５】
過マンガン酸塩により、鉄イオン及び／又はマンガンイオンは化学量論的に、かつ迅速に酸化される。一方、過マンガン酸塩によりアンモニア性窒素は酸化されない。従って、過マンガン酸塩の必要量は、鉄イオン及び／又はマンガンイオンと同当量に近い量で充分であり、アンモニア性窒素が多量の場合でも少量の添加でよい。
【００１６】
前記のようにして、鉄イオン及び／又はマンガンイオンが酸化された被処理水は、急速ろ過器等のろ過器によりろ過される。鉄イオン及び／又はマンガンイオンは、酸化により水不溶性の塩となっており、そのままろ過により除去される場合もある。又は、水不溶性の塩の粒度が小さい等の理由によりそのままではろ過による除去が困難な場合は、凝集剤の添加等により、除去可能な形態とされた後除去される。ろ過器としては、一般の水処理システムに用いられるろ過器と同様なものを用いることができ、その使用条件等も一般の水処理システムと同様である。ろ過器としては、緩速ろか器や急速ろ過器が挙げられるが、処理速度に優れる急速ろ過器が好ましく、通常用いられている（請求項２）。ろ過器により、鉄、マンガンとともに、その他の濁度成分が除去される。
【００１７】
ろ過器よりの流出水は、光酸化手段に供せられアンモニア性窒素が光酸化される。前記のように、光酸化は、水への紫外線等の高エネルギー線の照射によりヒドロキシラジカル（ＯＨ・）を発生させ、このヒドロキシラジカルの作用によりアンモニア性窒素の酸化を促進するものである。
【００１８】
光酸化は、ヒドロキシラジカルを効率よく生成するために、好ましくは、酸化剤の存在下に行われる。酸化剤としては、次亜塩素酸、次亜塩素酸塩、過酸化水素等が挙げられるが、取り扱いの容易さから次亜塩素酸又は次亜塩素酸塩が好ましい。次亜塩素酸又は次亜塩素酸塩を使用する場合でも、従来の不連続点処理に比較してその使用量を低減することができる。
【００１９】
高エネルギー線としては、紫外線が、その入手しやすさや制御の容易さの点で好ましい。紫外線等の高エネルギー線は、好ましくは水中より照射される。紫外線を照射する紫外線ランプとしては、低圧水銀灯と呼ばれる放電管を用いることができ、特に１６０〜２８０ｎｍ程度の高エネルギーの紫外線を放出するランプが好ましく用いられる。
【００２０】
次亜塩素酸又は次亜塩素酸塩の添加は、好ましくは過マンガン酸塩の添加後に行われる。従って、本発明の水処理システムは、好ましくは、次亜塩素酸又は次亜塩素酸塩の添加手段を、過マンガン酸塩の添加手段及び光酸化手段の間に有するものであり、この光酸化手段は、次亜塩素酸又は次亜塩素酸塩の存在下、水中よりの紫外線照射によりアンモニア性窒素を光酸化する手段である（請求項３）。この光酸化により、アンモニア性窒素より生じたモノクロラミンがスムースにジクロルアミンとなり、さらに高エネルギー線の水への照射により生じたヒドロキシラジカルにより窒素や塩化ナトリウム等の無害な成分となるので、浄水中のモノクロラミンの残存は抑制される。
【００２１】
より好ましくは、次亜塩素酸又は次亜塩素酸塩は、ろ過後に添加される。ろ過前に添加すると、水中に含まれている濁度成分や有機炭素成分（ＴＯＣ）が次亜塩素酸又は次亜塩素酸塩により変性され、浄水中に望ましくない副生物が残存することがあるが、ろ過後に添加することにより、この問題は生じない。
【００２２】
本発明では、光酸化はろ過器よりのろ液に対して行われる。すなわち、本発明の水処理システムによる水処理は、ろ過の工程後に光酸化を行うことを特徴とする。本発明で鉄イオン、マンガンイオンの酸化に使用される過マンガン酸塩は、アンモニア性窒素と反応しないのでこの酸化前にアンモニア性窒素を除去する必要はなく、光酸化は、過マンガン酸塩による酸化はもちろんろ過の工程後に行うことも可能である（光酸化前にろ過の工程を設けることができる）。
【００２３】
そして光酸化前にろ過を行うことにより、光酸化の際には鉄、マンガンや濁度成分が除去されているので、光酸化に使用する光源ランプに鉄、マンガンや濁度成分が付着することはなく、従来技術で問題であったランプの経時的な性能低下の問題は生じない。
【００２４】
本発明の水処理システムは、前記の過マンガン酸塩の添加手段、急速ろ過器、及び光酸化手段に加えて、水中の他の成分を除去するための手段を有していてもよい。特に、好ましくは、従来の井戸水の浄水処理で一般的に用いられている活性炭ろ過器を有する（請求項４）。
【００２５】
活性炭ろ過器は、活性炭を含有するろ過器で、主に水中の臭気、トリクロロエチレン（ＴＣＥ）等の有機化合物を活性炭に吸着するために設けられる。本発明の水処理システムは、さらに膜ろ過器等の精密ろ過器を設けてもよい。膜ろ過器は、ＭＦやＵＦ等の微細な孔径を有するろ過膜を使用するろ過器で、大腸菌や一般細菌の死骸等の微細成分の除去のために設けられる。活性炭ろ過器と膜ろ過器は、通常は、前記光酸化手段後に設けられ、従来の井戸水の浄水処理と同様に、活性炭ろ過器後に膜ろ過器を設けることが好ましい。
【００２６】
本発明は、前記の水処理システムに加えて、この水処理システムにより水を浄水処理する方法を提供する。すなわち、アンモニア性窒素並びに鉄イオン及び／又はマンガンイオンを含む水の処理方法であって、前記水に過マンガン酸塩を添加して鉄イオン及び／又はマンガンイオンを酸化する鉄マンガン酸化工程、前記鉄マンガン酸化工程後の水をろ過する工程、及び前記ろ過のろ過水に含まれるアンモニア性窒素を光酸化する工程を有することを特徴とする水処理方法である（請求項５）。
【００２７】
ろ過する工程、及び光酸化する工程は、それぞれ、前記水処理システムの、ろ過器、及び光酸化手段により行われる。光酸化手段に使用される酸化剤、例えば次亜塩素酸又は次亜塩素酸塩は光酸化する工程以前に添加されるが、これらと鉄、マンガンとの反応を避け、モノクロラミンの生成を避けるため、鉄マンガン酸化工程の後に添加されることが好ましい。
【００２８】
前記、本発明の水処理方法は、好ましくは、さらに活性炭ろ過工程を有する（請求項６）。さらに膜ろ過工程等他の工程を有してもよい。これらは前記のように、活性炭ろ過器、膜ろ過器を用いて行われる工程であり、好ましくは、光酸化する工程後に、活性炭ろ過工程、膜ろ過工程の順で行われる。
【発明の効果】
【００２９】
本発明の水処理システム又は水処理方法により、水溶性の鉄イオン、マンガンイオンとともにアンモニア性窒素を多量に含む水、例えば井戸水を、少量の次亜塩素酸又は次亜塩素酸塩を使用して、アンモニア性窒素及び鉄イオン、マンガンイオンや濁度成分を含まない浄水にすることができる。この水処理システム又は水処理方法によれば、アンモニア性窒素はスムースに無害な成分となるので、浄水中にモノクロラミンが残存することはなく、又次亜塩素酸又は次亜塩素酸塩の使用量も少ないのでトリハロメタン等の有害成分の生成もない。さらに、光酸化はろ過後の工程として行われるので、従来技術では問題であった光酸化に使用する光源ランプの性能がランプへの鉄、マンガン等の付着により経時的に低下する問題は生じない。
【発明を実施するための最良の形態】
【００３０】
次に、本発明を実施するための最良の形態を図に基づいて説明するが、本発明は、この形態のみに限定されるものではなく、本発明の趣旨が損なわれない限り、種々の変更を加えることが可能である。
【００３１】
図１は、本発明の水処理システムのフローを表すフロー図である。図１中、１は井戸であり、井戸１中の水２（原水）はポンプ３により配管４を通って原水槽５に送られ、原水槽５内に貯められる。
【００３２】
原水槽５内に貯められた水２は、ポンプ６により配管７を通って急速ろ過器８に送られる。配管７の途中には、凝集剤であるポリ塩化アルミニウム（ＰＡＣ）水溶液の投入口９及び過マンガン酸カリウム水溶液の投入口１０が設けられており、それぞれが、凝集剤の添加手段及び過マンガン酸塩の添加手段となっている。
【００３３】
ＰＡＣ水溶液は、ＰＡＣ槽１１に貯蔵されており、ポンプ１２により、配管１３を通って投入口９に送られ、投入口９より水２中に加えられる。過マンガン酸カリウム水溶液は、過マンガン酸カリウム槽１４に貯蔵されており、ポンプ１５により、配管１６を通って投入口１０に送られ、投入口１０より水２中に加えられる。
【００３４】
投入口１０より水２中に加えられた過マンガン酸カリウムは、水２中の鉄イオン、マンガンイオンと配管７中で混合され、配管７中及び急速ろ過器８の上部（ろ過前の段階）で反応しこれらを水不溶のイオンに変える。水不溶のイオンとなった鉄イオンは、急速ろ過の際に急速ろ過器８により除かれる。水不溶のイオンとなったマンガンイオンは、そのままでは急速ろ過で除去されないが、投入口９より水２中に加えられたＰＡＣの作用により凝集して、急速ろ過により除去可能になる。急速ろ過により、さらに水２中の濁度成分も除去される。
【００３５】
以上のようにして、水２中に含まれていた鉄イオン、マンガンイオン及び濁度成分は、水２が急速ろ過器８によりろ過される際に除かれ、ろ液（水２）は配管１７を通って光酸化装置１８に送られ、光酸化が行われる。
【００３６】
配管１７の途中には、次亜塩素酸ソーダ水溶液の投入口１９が設けられている。次亜塩素酸ソーダ水溶液は、次亜塩素酸ソーダ槽２０に貯蔵されており、ポンプ２１により、配管２２を通って投入口１９に送られ、投入口１９より水２中に加えられる。投入口１９を通過する水２は、すでに鉄イオン、マンガンイオン及び濁度成分が除かれたものである。従って、これらと次亜塩素酸ソーダとの反応により望ましくない成分が生成し、浄水中に残存することはない。
【００３７】
光酸化装置１８には、紫外線ランプ２３が水２中に設けられており、水２中へ紫外線が照射され、水２中に残存しているアンモニア性窒素が、次亜塩素酸ソーダの存在下に行われる光酸化により窒素ガスや食塩等の無害な成分に分解される。
【００３８】
光酸化装置１８より流出した水２は、ポンプ２４により配管２５を通って活性炭ろ過器２６に送られる。活性炭ろ過器２６では、水２中の臭気成分やその他の有機化合物例えばＴＣＥを活性炭に吸着する処理が行われる。
【００３９】
活性炭ろ過器２６により処理された水２は、配管２７を通って膜ろ過器３１に送られる。図１で表される例では、配管２７の途中に、消毒用の次亜塩素酸ソーダ水溶液の投入口２８が設けられている。消毒用の次亜塩素酸ソーダ水溶液は、前記のアンモニア性窒素分解用の次亜塩素酸ソーダ水溶液と同じものであり、次亜塩素酸ソーダ槽２０に貯蔵されている。この消毒用の次亜塩素酸ソーダ水溶液は、ポンプ２９により、配管３０を通って投入口２８に送られ、投入口２８より水２中に加えられる。なお、水２中に存在する細菌類の滅菌は、水２が光酸化装置１８を通る段階ですでにされており、消毒用の次亜塩素酸ソーダ水溶液の投入は、塩素量の法定基準を満たすために行われている。
【００４０】
膜ろ過器３１は、微小な孔径を有するフィルター膜（ＭＦ、ＵＦ等）により水をろ過するもので、水２中にある大腸菌の死骸や一般細菌の死骸等の微小成分が膜ろ過器３１により除去される。膜ろ過器３１を流出した水２、すなわち処理水は、配管３２を通って処理水槽３３に送られ、処理水槽３３に貯められ、適宜使用に供せられる。
【実施例】
【００４１】
（参考例）
アンモニア、鉄、マンガンを含有する井戸水（原水）を過マンガン酸カリ（ＫＭｎＯ４）で処理し、過マンガン酸カリとアンモニア、鉄、マンガンとの反応を確認した。
【００４２】
１．原水中のアンモニア、鉄、マンガン含有量（上水試験方法により測定した値）
アンモニア：９．８ｍｇ／Ｌ
鉄：１．５ｍｇ／Ｌ（ＫＭｎＯ４要求量の計算値：１．４１ｍｇ／Ｌ）
マンガン：０．１９ｍｇ／Ｌ（ＫＭｎＯ４要求量の計算値：０．３７ｍｇ／Ｌ）
【００４３】
２．テスト１
上記原水に、過マンガン酸カリを１．７８（＝１．４１＋０．３７）ｍｇ／Ｌとなる量添加し、添加後約３分間攪拌してろ紙にてろ過し、ろ液を採集した。ろ液は着色しており、鉄反応（試薬による呈色反応）はなく、鉄が除去されたことが確かめられたが、マンガン反応、アンモニア反応（試薬による呈色反応）が見られ、これらは除去されていないことが確かめられた。
【００４４】
３．テスト２
上記原水に、１．７８（＝１．４１＋０．３７）ｍｇ／Ｌとなる量の過マンガン酸カリ及び０．５ｍｇ／Ｌとなる量のポリ塩化アルミニウム（凝集剤、ＰＡＣ）を添加し、添加後約３分間攪拌してろ紙にてろ過し、ろ液を採集した。ろ液の着色はなく、又鉄反応、マンガン反応はなく、これらが除去されたことが確かめられたが、アンモニア反応は見られアンモニアは除去されていないことが確かめられた。
【００４５】
以上の結果より、鉄、マンガンは理論値通り過マンガン酸カリと反応すること、ただし鉄は過マンガン酸カリとの反応によりろ過される成分となるが、過マンガン酸カリと反応したマンガンをろ過するためには凝集剤が必要であること、一方、過マンガン酸カリは実験での条件（温度・時間）ではアンモニアと反応しないことが確かめられた。従って過マンガン酸カリ処理により、アンモニア性窒素を除く、鉄、マンガン、濁度成分のみを急速ろ過で除去することができることが確かめられた。
【００４６】
鉄、マンガン、濁度成分を除去した原水中に含有されているアンモニア性窒素は、光酸化で分解され、窒素と塩化ナトリウムとなり無害化できる。従って、過マンガン酸塩を前処理（酸化処理）に使用してその後急速ろ過しその後段で光酸化を行う水処理システムでは、有害な塩素生成物の残存はないとともに、光酸化前に鉄、マンガン、濁度成分を前処理するため、光源ランプにこれらが付着せず、光源ランプの性能の低下がなく、アンモニア性窒素を多量に含む原水（井戸水）の浄水システムとして有効であることが、確かめられた。
【図面の簡単な説明】
【００４７】
【図１】本発明の水処理システムのフローを表すフロー図である。
【符号の説明】
【００４８】
１        井戸
２        水
３、６、１２、１５、２１、２４、２９    ポンプ
４、７、１３、１６、１７、２２、２５、２７、３０、３２    配管
５        原水槽
８        急速ろ過器
９、１０、１９、２８    投入口
１１      ＰＡＣ槽
１４      過マンガン酸カリウム槽
１８      光酸化装置
２０      次亜塩素酸ソーダ槽
２３      紫外線ランプ
２６      活性炭ろ過器
３１      膜ろ過器
３３      処理水槽
【図１】
2008043898.tif 000003